(57)【要約】【課題】収容塗布アセンブリを提供すること。【解決手段】収容適用アセンブリ（１）であって、・適用すべき組成物でありかつ磁性体を含有している組成物を収容するための容器（２）と；・角質材料上に適用された組成物からなる少なくとも１つの層上においてパターンを形成し得る磁気デバイスと；・磁気デバイスを使用して組成物上に形成され得るパターンを表す少なくとも１項目の情報アイテム（１１）と；を具備している。【選択図】図１
2007061621.tif 000002
【特許請求の範囲】
【請求項１】
収容適用アセンブリ（１）であって、
・適用すべき組成物でありかつ磁性体を含有している組成物を収容するための容器（２）と；
・角質材料上に適用された前記組成物からなる少なくとも１つの層上においてパターンを形成し得る磁気デバイスと；
・前記磁気デバイスを使用して前記組成物上に形成され得るパターンを表す少なくとも１つ情報アイテム（１１）と；
を具備していることを特徴とするアセンブリ。
【請求項２】
請求項１記載のアセンブリにおいて、
前記情報アイテムが、前記磁気デバイスを使用して前記組成物上に形成し得る前記パターンを表すものとされていることを特徴とするアセンブリ。
【請求項３】
請求項１または２記載のアセンブリにおいて、
前記情報アイテムが、少なくとも部分的に、磁界の効果によって磁性体を配向させることによって、形成されたものであることを特徴とするアセンブリ。
【請求項４】
磁性体を含有した組成物が適用された爪上においてパターンを形成し得る磁気デバイスであって、
・爪および／または指を当接させ得る少なくとも１つの第１当接部（３３）またはセットバックを備えている支持体（３１）と；
・爪および／または指を前記当接部または前記セットバックに対して当接させた状態でもって、爪上に適用された前記組成物に対して磁界を印加し得るよう、前記第１当接部に対して対向しつつ前記支持体上に配置された少なくとも１つの永久磁石（３２）または電磁石と；
を具備していることを特徴とするデバイス。
【請求項５】
請求項４記載のデバイスにおいて、
前記第１当接部（３３）が、爪の下面に対して当接するのに適したリム（３４）を備えていることを特徴とするデバイス。
【請求項６】
請求項４または５記載のデバイスにおいて、
前記支持体が、前記永久磁石または前記電磁石がなす磁界内へと爪を挿入した際に指の頂部に対して当接し得るよう構成された第２当接部（３６）を備えていることを特徴とするデバイス。
【請求項７】
請求項４記載のデバイスにおいて、
前記支持体が、前記組成物を収容しているフラスコ上に固定し得るものとされていることを特徴とするデバイス。
【請求項８】
請求項７記載のデバイスにおいて、
前記支持体が、前方起立部を介して互いに連結された２つのフランジを備えていることを特徴とするデバイス。
【請求項９】
爪上にパターンを形成するための方法であって、
磁性体を含有した組成物からなる層を爪上へと適用し、
前記層に対して、磁石によって生成された磁界勾配を印加し、これにより、前記層内の前記磁性体を、非一様に配向させ、これにより、前記層の外観を、爪の自由端に向けて、漸次的に変化させる、
ことを特徴とする方法。
【請求項１０】
収容適用アセンブリであって、
・適用すべき組成物でありかつ磁性体を含有している化粧用組成物を収容するためのフラスコであるとともに、ネック部を備えているフラスコと；
・支持体を備えている磁気デバイスと；
を具備し、
前記支持体が、少なくとも１つの永久磁石が付設されたものとされ、さらに、前記ネック部上に係合し得る開口が形成されたものとされていることを特徴とするアセンブリ。
【発明の詳細な説明】
【技術分野】
【０００１】
本発明は、化粧用組成物のための収容塗布アセンブリに関するものであり、より詳細には、ゼロではない透磁率を有した磁性体を含有している組成物を塗布するためのアセンブリに関するものである。
【背景技術】
【０００２】
本発明に関連する従来技術は、非特許文献１〜４に記載されている。
【非特許文献１】C. Goubault 氏による２００４年３月２３日付けの論文
【非特許文献２】“Permanently linked monodisperse paramagnetic chains”, by E.M Furst, C. Suzuki, M. Fermigier, A.P. Gast, Langmuir, 14, 7334-7336 (1998)
【非特許文献３】“Suspensions de particules magnetiques [Magnetic particle  suspensions]”, by M. Fermigier, Y. Grasselli, Bulletin de la SFP (105), July1996
【非特許文献４】“Flexible magnetic filaments as micromechanical sensors”, by C. Goubault, P. Jop, M. Fermigier, J. Baudry, E. Bertrand, J. Bibette, Phys. Rev. Lett., 91, 26, 260802-1 to 260802-4 (2003)
【発明の開示】
【課題を解決するための手段】
【０００３】
本発明の一見地においては、とりわけ、本発明は、収容適用アセンブリであって、
・適用すべき組成物でありかつ磁性体を含有しているすなわち非ゼロという透磁率を有した磁性体を含有している組成物を収容するための容器と；
・例えば皮膚や粘膜や髪や爪といったような角質材料上に適用された組成物からなる少なくとも１つの層上においてパターンを形成し得る磁気デバイスと；
・磁気デバイスを使用して組成物上に形成され得るパターンを表す少なくとも１つの情報アイテムと；
を具備しているアセンブリを提供する。
【０００４】
情報アイテムは、磁気デバイスを使用して組成物上に形成し得るパターンを表すものとすることができる。
【０００５】
本発明により、使用者は、磁性体の配向性を変更することによっておよび／または磁性体を移動させることによって、新規なメークアップ効果を生成することができる。
【０００６】
情報アイテムは、容器上におよび／または磁気デバイス上に、配置することができる。
【０００７】
アセンブリは、アプリケータを備えることができ、情報アイテムは、アプリケータ上に、例えばハンドル部材上に、配置することができる。
【０００８】
本発明の一実施形態においては、情報アイテムは、少なくとも部分的には、磁界の効果によって磁性体を配向させることによって形成されたパターンを備えている。例示するならば、アセンブリは、磁界に対して印加されたニスという態様で、組成物からなる成膜体を備えることができる。変形例においては、アセンブリは、パターンを形成し得るよう磁界に対する印加によって変更された配向性を有した磁性体を内部に含有した熱可塑性材料を備えている。
【０００９】
情報アイテムは、また、少なくとも部分的には、印刷によって形成することができる。
【００１０】
容器は、コンパクトまたはフラスコを備えることができ、情報アイテムは、例えば、容器の閉塞部材上に配置することができる。
【００１１】
情報アイテムは、また、容器および／またはアプリケータのためのパッケージング内に含めることもできる。例えば、パッケージングに設けられる指示書上に印刷される。
【００１２】
組成物は、マニキュア液、または、皮膚や粘膜や髪や爪への適用のための他の任意の物質、とすることができる。
【００１３】
アプリケータは、フラスコを閉塞するための閉塞部材に対して連結されたアプリケータ部材を備えることができ、磁気デバイスは、閉塞部材内に組み込むことができる。例示するならば、磁気デバイスは、閉塞部材の対応ハウジングに固定された永久磁石を備えることができる。磁石は、例えば、接着剤によってハウジング内に保持される。磁気デバイスは、また、配向した磁性粒子を備えることもできる。磁性粒子は、例えば、熱可塑性材料内や樹脂内に分散させることができる。
【００１４】
磁気デバイスは、電磁石を備えることができる。
【００１５】
例示するならば、磁石または電磁石は、閉塞部材の頂部上に配置されかつ露出されている面を有している。
【００１６】
そのようなアセンブリは、使用に際して実用的である。例えば、そのようなアセンブリにより、使用者は、組成物が完全に乾く前に、組成物の成膜体に対して迅速に磁界を印加することができる。
【００１７】
磁気デバイスは、組成物が適用された領域から所定距離のところに磁石または電磁石を保持し得るよう、静止した支持体に対して載置されるのに適した２つのタブを備えることができる。これらタブにより、使用者は、組成物に対して磁界を印加するに際し、これらタブの間に指をスライドさせることができる。
【００１８】
磁気デバイスは、調節デバイスを備えることができる。調節デバイスにより、使用者は、例えば、磁気組成物によってコーティングされた領域に対しての、磁石または電磁石の距離または向きを調節することができる。
【００１９】
磁気デバイスは、指の端部を内部に挿入し得るハウジングを備えることができる。
【００２０】
本発明の他の見地においては、上記とは独立して、または、上記と組み合わせて、本発明は、収容適用デバイスであって、
・爪に対して適用すべき組成物を収容しているフラスコと；
・フラスコに対して固定された支持体であるとともに、磁石を備え、さらに、例えば当接部またはセットバックといったような指および／または爪のための当接表面を有し、これにより、爪上に適用された組成物層に対して磁石による磁界を印加することによって爪上にパターンを形成することを可能としている支持体と；
・フラスコ上に固定され得るものとされた付加的なアプリケータと；
を具備し、使用時には、支持体がアプリケータに対して固定されていないようなデバイスが、提供される。
【００２１】
本発明のさらなる目的は、磁性体を含有した組成物が適用された爪上においてパターンを形成し得る磁気デバイスであって、
・爪および／または指を当接させ得る少なくとも１つの第１当接部またはセットバックを備えている支持体であるとともに、組成物を収容しているフラスコ上に固定し得るものとされた支持体と；
・爪および／または指を当接部またはセットバックに対して当接させた状態でもって、爪上に適用された組成物に対して磁界を印加し得るよう、第１当接部に対して対向しつつ支持体上に配置された少なくとも１つの永久磁石または電磁石と；
を具備しているデバイスである。
【００２２】
本発明のさらなる目的は、爪に対して適用される組成物を収容しているフラスコと、このフラスコ上に固定された上述したデバイスと、を備えてなるキットである。支持体は、爪のための第１当接部を形成する突起を備えることができる。フラスコは、横断面形状が全体的に正方形形状または矩形形状とされたボディを備えることができる。フラスコのボディは、ガラスから形成することができ、また、例えば熱可塑性材料といったような他の材料から形成することができる。
【００２３】
例示するならば、支持体は、前方起立部を介して互いに連結された２つのフランジを備えることができる。フラスコは、フランジどうしの間に係合され、可能であれば、当接表面は、前方起立部によって形成される。
【００２４】
フランジのうちの少なくとも１つは、フランジどうしの間にフラスコを保持するための後方リムを備えることができる。
【００２５】
フランジのうちの少なくとも１つは、例えばスライド移動によってフラスコをフランジどうしの間に挿入した後に、フラスコをスナップ固定によって保持し得るような凹凸部分を備えることができる。
【００２６】
一実施形態においては、支持体は、フラスコのネック部上において所定に保持され得るような開口を備えている。この開口は、支持体の頂壁に形成することができる。この場合、支持体の頂壁は、その前端のところにおいて、支持体の前方起立部に対して連結されている。頂壁の後端は、フラスコの背面に対して押圧され得るよう構成された下向きリムに対して連結することができる。
【００２７】
支持体は、前方起立部を備えることができる。前方起立部は、その下端のところにおいて、フラスコの下面側に配置され得る底壁に対して連結することができる。
【００２８】
一変形例においては、支持体は、例えば接着といったような手法によって、フラスコの底面に対して固定され得る底壁を備えている。
【００２９】
支持体の形状とは独立して、また、フラスコに対しての支持体の固定態様とは独立して、支持体は、ハウジングを備えることができる。磁石は、ハウジング内において少なくとも部分的に係合することができる。例えば、スナップ留めおよび／または接着剤によって、ハウジング内において少なくとも部分的に係合することができる。
【００３０】
本発明の一実施形態においては、ハウジングは、磁石を保持し得るよう、両サイドに位置した２つのスプラインを備えている。
【００３１】
例示するならば、磁石は、スプラインどうしの間へとスライド移動させることによって、ハウジング内に係合される。
【００３２】
ハウジングは、磁石をスナップ留めによって固定し得るよう構成することができる。スプラインのうちの少なくとも一方は、例えば、磁石を通過させた後に磁石を所定位置に保持し得るようなリップを備えることができる。
【００３３】
ハウジングは、接着剤を使用してハウジングに対して磁石を結合することをより容易なものとし得るような少なくとも１つの凹凸部分を有することができる。このような部分は、接着剤を受領するように機能する。
【００３４】
ハウジングは、必要であれば、支持体の底面内においておよび／またはフランジどうしの間において、開口することができる。例えば、これにより、磁石を、底面側から、および／または、背面側から、所定位置へと配置することができる。
【００３５】
ハウジングの底部は、突起によって形成することができる。この突起は、爪のための当接部を形成することもできる。
【００３６】
突起の前方エッジは、丸められたものとすることができ、前方側に凸形状のものとすることができる。あるいは、変化例においては、前方エッジは、前方側に凹形状のものとすることができる。例示するならば、凹形状のエッジは、爪の小皮（内皮）に対して凹圧され得るよう機能することができる。そして、爪に対して磁界を印加することができる。突起の前方エッジは、フラットなものとすることができる、あるいは、他の形状とすることができる。
【００３７】
磁石は、様々な形状を有することができる。例えば、磁石は、矩形の平行六面体形状とすることができる。
【００３８】
磁石は、支持体上において、少なくとも１つの側面を鉛直方向として配置することができる。あるいは、一変形例においては、磁石は、菱形形状とされた前面を有することができる。これにより、組成物層に対して磁界勾配を印加することができる。これにより、『フレンチマニキュア』タイプのメークアップ効果を得ることができる。
【００３９】
支持体の前方起立部は、頂部にセットバックを有することができる。このセットバックは、指または爪の形状に対して実質的に相補的なものとされる。このことは、例えば磁石が菱形形状の前面を有している際に、有効なものとすることができる。これにより、爪を適切に配置することを保証することができる。
【００４０】
例えば、磁石が菱形形状である場合には、磁石は、２つの側辺だけを、ハウジングのそれぞれ対応するエッジに対して係止させることができる。
【００４１】
磁石は、支持体の下半分内に配置することができる。あるいは、変形例においては、上半分内に配置することができる。あるいは、他の場所に配置することができる。
【００４２】
磁石が支持体の底部に配置される場合には、磁石は、爪を下向きとして使用することができる。例えば、爪のエッジを、上記の突起に対して当接させる。この場合、突起は、爪の内表面に対して係合し得るよう機能するリムを備えることができる。支持体の前方起立部は、頂部に、指または爪の形状に対して実質的に相補的であるようなセットバックを備えることができる。
【００４３】
磁石は、２つの側辺だけによって、支持体の対応ハウジングのエッジに対して、係止することができる。
【００４４】
支持体は、フラスコ上において、着脱可能に固定することができる。例えば、これにより、組成物が使い果たした際には、使用者は、フラスコを交換することができる。変形例においては、支持体は、非着脱可能な態様で、フラスコに対して固定することができる。
【００４５】
本発明の他の見地においては、上記とは独立して、または、上記と組み合わせて、本発明は、磁気デバイスであって、
・爪および／または指を当接させ得る少なくとも１つの第１当接部を備えている支持体と；
・爪および／または指を当接部またはセットバックに対して当接させた状態でもって、爪上に適用された組成物に対して磁界を印加し得るよう、第１当接部に対して対向しつつ支持体上に配置された少なくとも１つの永久磁石または電磁石と；
を具備しているデバイスを提供する。例示するならば、磁石または電磁石は、指および／または爪を第１当接部に対して当接させた状態で、成膜体に向けて移動される。
【００４６】
このようなデバイスにより、ニスと磁気デバイスとの間の偶発的な接触というリスクを大幅に低減しつつ、爪上にモチーフを形成することができる。また、爪上において再現性良くパターンを容易に形成することができる。
【００４７】
必要に応じて、第１当接部は、調節可能なものとすることができる。これにより、支持体に対しての、磁石または電磁石の位置を、調節することができる。
【００４８】
第１当接部は、爪の内表面に対して係合し得る凹所を備えることができる。凹所により、使用者は、爪に対して支持体をより容易に回転させることができる。
【００４９】
例えば、支持体は、爪を磁石の磁界内に挿入した際に、指の頂部に対して係合し得るよう構成された第２当接部を備えている。この第２当接部は、調節可能なものとすることができる。
【００５０】
例えば、第１および第２当接部は、爪および／または指の湾曲形状に対して適合した湾曲形状を有している。
【００５１】
支持体は、不使用時にはフラスコに対して固定され得るよう構成することができる。
【００５２】
例示としての他の実施形態においては、本発明は、さらに、爪上にパターンを形成するための方法を提供し、この方法においては、
−磁性体を含有した組成物からなる層を爪上へと適用し、
−磁気デバイスを層の近傍位置へと所定の態様で移動させることにより、例えば回転移動させることにより、層に対して磁界を印加する。
【００５３】
回転移動は、例えば磁気デバイスの支持体に対しての爪および／または指のための当接表面のまわりで、実施することができる。磁気デバイスは、例えば上述したものとされ、爪および／または指のための少なくとも１つの第１当接部を有している。
【００５４】
本発明の他の目的は、爪上にパターンを形成するための方法であって、この方法においては、
−磁性体を含有した組成物からなる層を爪上へと適用し、
−層に対して、磁石によって生成された磁界勾配を印加し、これにより、層内の磁性体を、非一様に配向させ、これにより、層の外観を、爪の自由端に向けて、漸次的に変化させる。
【００５５】
このような方法は、『フレンチマニキュア』タイプのメークアップを行うに際して効果的なものとすることができる。
【００５６】
磁界は、例えば爪の中央平面に対して実質的に平行な方向においてテーパー形状とされたくさび形状部分を有した磁石によって、生成することができる。
【００５７】
フラスコが鉛直方向のものである場合には、菱形形状を有した磁石を使用することができる。爪は、例えば、鉛直方向に配置される。
【００５８】
本発明は、さらに、磁性体を含有した組成物が適用された爪上においてパターンを形成し得る磁気デバイスであって、支持体と、この支持体上に付設された少なくとも１つの磁石または電磁石と、を具備し、支持体が、爪を受領するためのハウジングを備え、支持体が、ハウジング内に受領された爪に対して所定の離間距離のところに磁石または電磁石を保持し得るよう構成されているような、磁気デバイスを提供する。
【００５９】
本発明の他の見地においては、上記とは独立して、または、上記と組み合わせて、本発明は、さらに、収容適用アセンブリであって、
・適用すべき組成物でありかつ磁性体を含有している化粧用組成物を収容するためのフラスコであるとともに、ネック部を備えているフラスコと；
・支持体を備えている磁気デバイスと；
を具備し、支持体が、少なくとも１つの永久磁石が付設されたものとされ、さらに、ネック部上に係合し得る開口が形成されたものとされている、ようなアセンブリを提供する。
【００６０】
そのような支持体は、不使用時にはフラスコ上に磁気デバイスを保持するように機能する。
【００６１】
収容適用デバイス（あるいは、収容塗布デバイス）は、フラスコを閉塞するための部材を備えることができる。その部材は、フラスコを閉塞している状態で、ネック部上に保持され得るよう構成されている。
【００６２】
本発明は、さらに、例えばパターンを形成するための上記方法を実施し得るよう、磁気デバイスを製造するための方法を提供する。この磁気デバイスは、支持体と、この支持体内に組み込まれた磁性粒子と、を備えている。支持体は、凝固可能な流体材料から形成され、磁性粒子は、支持体の凝固前に磁界の作用によって配向される。配向後には、磁性粒子は、永久磁石と同様に振る舞う。
【００６３】
このような製造方法により、形成対象をなすパターンに適合した所定形状の磁界を有した磁気デバイスを、より容易に形成することができる。
【００６４】
支持体は、化粧用組成物のためのアプリケータの一部を構成することができる。
【００６５】
『磁性体』
『磁性体』という用語は、ゼロではない透磁率を有した物質を表すために使用される。すなわち、磁界の作用に対して敏感であるような物質を表すために使用される。例えば、磁力線に沿って自身を配向させる傾向を有した物質を表すために使用される。よって、『磁性体』という用語は、磁化可能な物質を備えている。
【００６６】
好ましくは、使用される磁性体は、磁界が存在していない状態では、何らの残留磁化も示さないものとされる。
【００６７】
磁性体は、磁界が永久磁石によって生成されたかまたは誘導によって生成されたかに無関係に、磁力線に対して感度を示す任意の磁性材料を備えることができる。磁性材料は、例えば、ニッケルや、コバルトや、鉄や、例えばＦｅ３Ｏ４といったようなこれらの酸化物または合金や、ガドリニウムや、テルビウムや、ジスプロシウムや、エルビウムや、これらの合金または酸化物、の中から選択される。磁性材料（あるいは、磁気材料）は、例えば軟鉄といったような金属鉄を備えることができ、可能であれば、コーティングすることができる。
【００６８】
磁性体は、付加的には、多層構造を有することができる。磁性材料は、例えば鉄やニッケルやコバルトやこれらの合金または酸化物といったような磁性材料からなる少なくとも１つの層を備えることができ、特に、Ｆｅ３Ｏ４からなる少なくとも１つの層を備えることができる。
【００６９】
磁性体は、好ましくは、非球状とされる。例えば、長尺形状を有することができる。よって、磁性体が磁界に対して曝された際には、磁性体は、それらの長軸を磁力線に対して位置合わせするようにして配向する傾向があり、磁性体が配向変化を受けることにより、組成物の外観が変化する。
【００７０】
磁性体が実質的に球形である場合には、磁性体は、好ましくは、非一様な外観を備えている。これにより、配向性の変化によって、外観の変化を引き起こすことができる。
【００７１】
磁性体の量は、磁性体の配向性および／または磁性体の位置合わせに応じたものとして組成物の外観を変更し得るに十分なものとされる。
【００７２】
例示するならば、磁性体の濃度は、約０．０５重量％〜約９７重量％という範囲とされ、特に、約０．１重量％〜約９５重量％という範囲とされ、好ましくは、約０．１重量％〜約９０重量％という範囲とされ、例えば、約３重量％とされる。例示するならば、磁性体のサイズは、１ｎｍ〜７００μｍという範囲とされ、好ましくは、１μｍ〜５００μｍという範囲とされ、より好ましくは、１０μｍ〜１５０μｍという範囲とされる。『サイズ』という用語は、Ｄ５０として公知であるように、統計的粒度分布における数的な中央値として与えられている。
【００７３】
『磁性顔料』
組成物の磁性体は、磁性顔料（あるいは、磁気顔料）を備えることができる。特に好適な顔料は、酸化鉄Ｆｅ３Ｏ４を備えた真珠層である。磁気特性を示す顔料は、例えば、以下の商標名によって市販されているものから構成される。すなわち、Merck 社という供給業者から供給されているような、COLORONA BLACKSTAR BLUE（登録商標）、COLORONA
BLACKSTAR GREEN（登録商標）、COLORONA BLACKSTAR GOLD（登録商標）、COLORONA
BLACKSTAR RED（登録商標）、CLOISONNE NU ANTIQUE SUPER GREEN（登録商標）、MICRONA MATTE BLACK（17437）（登録商標）、MICA BLACK（17260）（登録商標）、COLORONA
PATINA SILVER（17289）（登録商標）、および、COLORONA PATINA GOLD（117288）（登録商標）；あるいは、Englehard 社という供給業者から供給されているような、FLAMENCO
TWILIGHT RED（登録商標）、FLAMENCO TWILIGHT GREEN（登録商標）、FLAMENCO TWILIGHT GOLD（登録商標）、FLAMENCO TWILIGHT BLUE（登録商標）、TIMICA NU ANTIQUE SILVER 110 AB（登録商標）、TIMICA NU ANTIQUE GOLD 212 GB（登録商標）、TIMICA NU-ANTIQUE COPPER 340 AB（登録商標）、TIMICA NU ANTIQUE BRONZE 240 AB（登録商標）、
CLOISONNE NU ANTIQUE GREEN 828 CB（登録商標）、CLOISONNE NU ANTIQUE BLUE 626 CB（登録商標）、GEMTONE MOONSTONE G 004（登録商標）、CLOISONNE NU ANTIQUE RED 424 CB（登録商標）、CHROMA-LITE BLACK（4498）（登録商標）、CLOISONNE NU ANTIQUE ROUGE FLAMBE（code 440 XB）（登録商標）、CLOISONNE NU ANTIQUE BRONZE（240 XB）（登録商標）、CLOISONNE NU ANTIQUE GOLD（222 CB）（登録商標）、および、CLOISONNE NU
ANTIQUE COPPER（340 XB）（登録商標）；から構成される。
【００７４】
BASF社という供給業者から市販されている黒色酸化鉄粒子や、軟鉄をベースとした粒子、といったようなものから形成し得ることにも言及することができる。
【００７５】
磁性体は、ファイバとすることができる。
【００７６】
『磁性ファイバ』
『ファイバ』という用語は、全体的に長尺形状とされたものを表す。例えば、３．５〜２５００または５〜５００という範囲の、例えば、５〜１５０という範囲の、形状因子を有することができる。形状因子とは、Ｌをファイバの長さとしかつＤをファイバに対して内接し得る最大の横断面積をなす円形の直径としたときに、Ｌ／Ｄとという比率によって定義される。
【００７７】
例示するならば、ファイバの横断面形状は、２ｎｍ〜５００μｍという範囲の、例えば１００ｎｍ〜１００μｍという範囲の、実際に１μｍ〜５０μｍという範囲の、直径を有した円に対して内接することができる。
【００７８】
例示するならば、ファイバは、１μｍ〜１０ｍｍという範囲の、例えば０．１ｍｍ〜５ｍｍという範囲の、実際に０．３ｍｍ〜３．５ｍｍという範囲の、長さを有することができる。
【００７９】
例示するならば、ファイバのキャリバー（caliber ）は、０．１５デニール（デニールとは、１つのヤーンに関し、９ｋｍあたりのグラムを単位とした重量を表すものである）〜３０デニールという範囲、例えば、０．１８デニール〜１８デニールという範囲、とすることができる。
【００８０】
ファイバは、任意の横断面形状を有することができる。例えば、円形や、多角形や、正方形や、六角形や、八角形、という横断面形状を有することができる。
【００８１】
組成物は、中実のまたは中空のファイバを備えることができ、また、互いに独立とされたような、または、例えば編込といったような手法によって相互にリンクされているような、ファイバを備えることができる。
【００８２】
組成物は、尖鋭な端部を有したおよび／または例えば研磨といったような手法によって丸められた端部を有したファイバを備えることができる。
【００８３】
ファイバの形状は、組成物内に導入された際に実質的に不変のままとすることができる。例えば、ファイバは、初期的に直線状のものとすることができ、その形状を維持し得るよう十分に剛直なものとすることができる。変形例においては、ファイバは、十分なフレキシブルさを示すことができ、これにより、組成物内において実質的に変形することができる。
【００８４】
ファイバ内の磁性材料の含有量は、ゼロよりも大きいものとすることができ、可能であれば、最大で１００％とすることができる。磁性材料は、限定するものではないけれども、鉄や、亜鉛や、ニッケルや、コバルトや、マンガンや、例えばＦｅ３Ｏ４といったようなこれらの酸化物または合金や、希土類や、硫酸バリウムや、シリコン鉄合金、などをベースとするものとされ、可能であれば、モリブデンや、Ｃｕ２ＭｎＡｌや 、ＭｎＢｉや、これらの混合物が添加される。
【００８５】
組成物が、磁性粒子を含有したファイバを備えている際には、磁性粒子は、例えば少なくとも一部がファイバの表面のところに存在することができる、あるいは、ファイバの表面だけに存在することができ、あるいは、ファイバの内部にだけ存在することができる、あるいは、実際に、実質的に一様であるようにしてファイバ全体にわたって分散することができる。
【００８６】
例示するならば、各ファイバは、非磁性コアと、このコアの表面上に位置した複数の磁性粒子と、を備えることができる。
【００８７】
ファイバは、また、合成マトリクスとすることができ、合成マトリクス内に、分散状態でもって複数の磁性粒子を収容することができる。
【００８８】
必要に応じて、磁性粒子が添加された合成材料は、非磁性外皮によってコーティングされることができる。例示するならば、そのような外皮は、バリアを構成する。このバリアは、周囲の媒体から磁気材料を隔離したり、あるいは、色を提供したり、することができる。各ファイバは、一体部材をなす磁性コアを備えることができる。コアは、非磁性外皮によってコーティングすることができる。あるいは逆に、各ファイバは、一体部材をなす非磁性コアを備えることができ、非磁性コアを、磁性外皮によってコーティングすることができる。
【００８９】
組成物は、特に熱可塑性材料やエラストマー材料といったような、押出や共押出によって形成された１つまたは複数のポリマー材料から形成することができる。押出加工される複数の材料のうちの１つは、分散された磁性粒子からなるフィラーを有することができる。
【００９０】
ファイバは、限定するものではないけれども、ポリアミド、ポリエチレンテレフタレート（ＰＥＴ）、アセテート、例えばポリエチレン（ＰＥ）またはポリプロピレン（ＰＰ）といったようなポリオレフィンや、ポリ塩化ビニル（ＰＶＣ）や、ポリエステルブロックアミドや、熱可塑性のＲｉｌｓａｎ（登録商標）や、例えばポリエステルエラストマーやＰＥエラストマーやシリコーンエラストマーやニトリルゴムエラストマーといったようなエラストマーや、あるいは、これら材料の混合物、の中からから選択された合成材料を備えることができる。
【００９１】
組成物は、磁性コアを有した複合ファイバを含有することができ、磁性コアは、少なくとも部分的に、合成のまたは天然の少なくとも１つの非磁性材料によってコーティングされる。例示するならば、磁性コアは、コアの周囲において非磁性外皮を共押出することによって、コーティングすることができる。
【００９２】
コアは、例えばインサイチュ重合といったような、他の様々な手法によってコーティングすることができる。
【００９３】
コアは、一体物とすることができる。あるいは、コアは、マトリクス内に分散させた態様で磁性粒子フィラーを備えることができる。
【００９４】
コアの組成は、磁性粒子が添加された合成材料によって合成のまたは天然の非磁性コアをコーティングすることによって得られた複合ファイバを含有することができる。コアは、限定するものではないけれども、例示するならば、木や、レーヨンや、ポリアミドや、植物材料や、ポリエチレンや、ナイロン（登録商標）や、ポリイミドアミドや、アラミド、からなるファイバによって構成される。
【００９５】
組成物は、さらに、特に磁気ラテックスといったような複合磁性粒子を備えることができる。
【００９６】
『複合磁性粒子』
複合磁性粒子とは、有機マトリクスまたは無機マトリクスと磁性粒子とによって構成された複合材料である。よって、複合磁性粒子は、内部におよび／または表面上に、磁性材料からなるグレイン（粒子）を有することができる。複合磁性粒子は、有機または無機マトリクス内にコーティングされた磁性コアによって構成することができる。あるいは、逆の構成とすることもできる。
【００９７】
例示するならば、複合磁性粒子は、上述した磁性材料のうちの１つを備えることができる。
【００９８】
例示するならば、複合磁性粒子の寸法は、１ｎｍ〜１ｍｍという範囲とすることができ、好ましくは１００ｎｍ〜５００μｍという範囲とすることができ、さらに好ましくは５００ｎｍ〜１００μｍという範囲とすることができる。『寸法』という用語は、Ｄ５０として公知であるように、統計的粒度分布における数的な中央値として与えられている。
【００９９】
非特許文献１の第１章には、複合磁性粒子に関連する従来技術が要約されており、複合磁性粒子を調製するために使用し得る調製方法がリストアップされている。特に、磁性粒子とマトリクスとを互いに個別に合成する方法や、マトリクスに対して接触させつつ磁性粒子を合成する方法や、磁性粒子の存在下でマトリクスを合成するための方法、が記載されている。この文献の記載内容は、参考のため、その全体がここに組み込まれる。
【０１００】
Kisker社という供給業者は、無機マトリクスであって、シリカからなる複合磁性粒子を販売している。Dynal 社、Seradyn 社、Estapor 社、および、Ademtech社という供給業者は、本発明において使用するのに好適な有機マトリクス複合磁性粒子を提案している。
【０１０１】
より詳細には、Estapor 社という供給業者は、Ｍ１−０７０／６０という商標名で磁気ラテックスを販売している。これは、ポリスチレンマトリクス内にフェライト粒子が一様に分散してなるものである。ラテックスは、６５％の酸化鉄を備えており、ポリスチレン粒子の平均直径は、８９０ｎｍであり、乾燥物質含有量は、１０％である。
【０１０２】
『フェロ流体』
組成物は、フェロ流体を備えることができる。すなわち、例えば磁性ナノ粒子といったような磁性粒子に関しての、任意の安定な懸濁液を備えることができる。
【０１０３】
粒子は、例えば、数十ナノメートルという程度のサイズの粒子は、湿潤剤や分散剤の利用により、あるいは、静電的な相互作用により、溶媒（水、油、有機溶媒）内に分散する。
【０１０４】
例示するならば、フェロ流体は、ナノ粒子が得られるまでフェライトまたは他の磁性粒子を研磨し、その後、湿潤剤を含有している流体内に分散させることにより、調製される。この場合、湿潤剤は、粒子上に吸着され、粒子を安定化させる。あるいは、フェロ流体は、塩基性媒体内において金属イオン溶液を沈澱させることによって、調製される。
【０１０５】
フェロ流体内の各粒子は、その粒子のサイズによって決定されるようなまた磁性材料の特性によって決定されるような磁気モーメントを示す。
【０１０６】
磁界の作用下において、粒子の磁気モーメントは、磁力線に沿って配向する傾向がある。これにより、液体内には、ゼロではない磁化が発生する。磁界がゼロにまで低減した場合には、ヒステリシスが存在せず、磁化はゼロに落ちる。
【０１０７】
しきい値をなす磁界を超えると、液体内において巨視的変化を引き起こすことができる。例えば、ピークの様子に、または、流動特性に、巨視的変化を引き起こすことができる。
【０１０８】
『フェロ流体』という用語は、さらに、溶媒内におけるフェロ流体液滴からなるエマルジョンをもカバーする。その場合、各液滴は、安定な懸濁液内に、コロイド状磁性粒子を含有している。これにより、任意のタイプの溶媒の中に、フェロ流体を配置することができる。フェロ流体内の懸濁液の中の磁性粒子の寸法は、例えば１ｎｍ〜１０μｍであり、好ましくは１ｎｍ〜１μｍであり、より好ましくは１ｎｍ〜１００ｎｍである。『寸法』という用語は、Ｄ５０として公知であるように、統計的粒度分布における数的な中央値として与えられている。
【０１０９】
例えば、Liquids Research Ltd 社 といいう供給業者によって以下の商標名で市販されているフェロ流体に言及することができる。
・ＷＨＫＳ１Ｓ９（登録商標）（Ａ、Ｂ、またはＣ）。これは、水性ベースのフェロ流体であって、１０ｎｍという粒子直径のマグネタイト（Ｆｅ３Ｏ４）を含有している。
・ＷＨＪＳ１（登録商標）（Ａ、Ｂ、またはＣ）。これは、イソパラフィンベースのフェロ流体であって、１０ｎｍという粒子直径のマグネタイト（Ｆｅ３Ｏ４）を含有している。
・ＢＫＳ２５−デキストラン（登録商標）。これは、水性ベースのフェロ流体であって、デキストランによって安定化されており、９ｎｍという粒子直径のマグネタイト（Ｆｅ３Ｏ４）粒子を含有している。
【０１１０】
『粒子および／または磁性ファイバからなるチェイン』
組成物は、さらに、粒子および／または磁性ファイバからなるチェインを備えることができる。
【０１１１】
よって、組成物は、粒子またはファイバからなる凝集物を備えることができる。その場合、長手方向の長さは、例えば、１ｎｍ〜１０ｍｍであり、例えば、１０ｎｍ〜５ｍｍであり、あるいは、１００ｎｍ〜１ｍｍであり、あるいは実際に、０．５μｍ〜３．５ｍｍであり、例えば、１μｍ〜１５０μｍである。
【０１１２】
『寸法』という用語は、Ｄ５０として公知であるように、統計的粒度分布における数的な中央値として与えられている。
【０１１３】
例示するならば、磁性粒子からなるチェインは、非特許文献２〜４に記載されているように、コロイド状磁性粒子と一緒に組み合わせることにより、得ることができる。これら文献の記載内容は、参考のため、ここに組み込まれる。
【０１１４】
これら文献は、特に、表面上において機能付加された酸化鉄からなる粒子を含有したポリスチレンマトリクスを備えてなる磁性ラテックス粒子の調製方法を記述している。表面には、特に隣接粒子の表面どうしの間の共有結合を行うような化学反応によって、恒久的に結合されている。それら文献は、さらに、物理学的性質に基づく相互作用によって結合されたフェロ流体エマルジョン液滴からなるチェインの調製方法を記述している。このようにして得られた恒久的チェインの長さおよび直径は、制御することができる。このような磁性チェインは、磁界の作用下において配向し得るとともに移動し得るような異方性磁気対象物を構成する。
【０１１５】
磁性チェインの寸法は、磁性ファイバと同じ条件を満たすことができる。
【０１１６】
『生理的に許容可能な媒体』
組成物は、生理的に許容可能な媒体を備えている。『生理的に許容可能な媒体』という用語は、有毒ではなく、かつ、人間の皮膚や髪や爪や唇に対して適用するのに好適であるような媒体を示すために使用されている。生理的に許容可能な媒体は、一般に、組成物の適用対象をなす表面の性質に対して適合したものであり、また、組成物をパッケージングする態様に適合したものである。
【０１１７】
組成物は、特に薬剤の態様に応じて、上述したもの以外の成分を備えることができる。例えば、少なくとも１つの溶媒、脂肪質相、フィルム形成ポリマー、および／または、皮膚科学的にまたは美容的に活性な物質、を備えることができる。
【０１１８】
組成物は、例えば、揮発性の溶媒、または、揮発性の有機溶媒を備えることができる。磁性体の配向性は、溶媒の蒸発前に変更することができる、および／または、磁性体は、溶媒の蒸発前に移動させることができる。
【発明を実施するための最良の形態】
【０１１９】
本発明の様々な見地は、添付図面を参照しつつ、例示としての好ましい実施形態に関する以下の詳細な説明を読むことにより、明瞭となるであろう。
【０１２０】
図１は、収容塗布アセンブリ１を示している。この収容塗布アセンブリ１は、化粧品を収容したフラスコ２と、化粧品を塗布し得るアプリケータ３と、を備えている。
【０１２１】
この例においては、化粧品は、磁性体を含有したマニキュア液とされ、以下の組成を有している。
【０１２２】
【表１】
2007061621.tif 000003
【０１２３】
このようなマニキュア液の外観は、マニキュア液が乾燥し終わる前に磁界を印加することにより、変更することができる。
【０１２４】
当然のことながら、この特定の組成物に限定されるものではない。
【０１２５】
アプリケータ３は、フラスコ２に対しての閉塞部材としても機能するハンドル部材４と、爪上へと組成物を塗布することを可能とするブラシ５と、を備えている。
【０１２６】
アセンブリ１は、磁気デバイスを備えている。この磁気デバイスは、ハンドル部材４内に一体化された永久磁石７を有している。
【０１２７】
この例においては、磁石７は、ハンドル部材をなすハウジング内に受領されているとともに、アプリケータの頂面８から見えるものとされている。必要に応じて、アプリケータの頂面８の形は、爪の湾曲に適応し得るよう、外側が突出したわずかな凹形状とすることができる。
【０１２８】
磁石７の磁気特性は、爪上に形成すべきパターンに応じて、また、磁性体の濃度に応じて、また、磁性体の感度に応じて、選択することができる。例示するならば、磁石７は、少なくとも５００Ｇ（ガウス）という磁界を生成することができ、好ましくは、少なくとも２０００Ｇという磁界を生成することができ、あるいは、１００００Ｇ〜１５０００Ｇという磁界さえ生成することができ、例えば、５００Ｇ〜１５０００Ｇという磁界を生成することができる。
【０１２９】
アセンブリは、さらに、磁気デバイス７を使用することによって組成物成膜体上に形成し得るパターンを表した少なくとも１つの情報アイテムを備えることができる。
【０１３０】
この情報アイテムは、様々な方法で表すことができる。この例においては、情報アイテムは、ラベル１１上に表示されている。ラベル１１は、例えば、フラスコ２と同じパッケージ内に収容されるものである。パッケージは、例えば、厚紙からなる箱やブリスタ（図示せず）とされる。
【０１３１】
変形例においては、情報アイテムは、フラスコ上にまたはアプリケータ３上に付着されたラベル上に表示することができる。
【０１３２】
情報アイテム１１は、磁気デバイスを使用することによって組成物上で得ることができるパターンを表す画像とすることができる。この画像は、印刷によって得ることができる。しかしながら、画像は、また、他の方法によっても得ることができる。例えば、アプリケータの頂面や側面やあるいはフラスコ上といったようなところに堆積させた化粧品層に対して磁界を印加することにより、得ることができる。
【０１３３】
また、ハンドル部材４を、磁性体を添加した熱可塑性材料から成型し、このハンドル部材に対して磁界を印加することによって、フラスコ内に収容された組成物に関して磁気デバイス７によって得ることができるのと同様の結果を得ることができる。
【０１３４】
アセンブリ１は、以下のようにして使用することができる。
【０１３５】
使用者は、まず最初に、図２に示すように、爪に対して組成物を塗布し、その後、図３に示すように、組成物が乾燥してしまう前に、アプリケータ３をひっくり返すことによって、磁石７による磁界を、組成物に対して印加する。
【０１３６】
例示するならば、組成物に対して、動的な態様で、磁界を印加することができる。すなわち、磁性体が固定され終わるまでは爪に対して磁石７を動かさないようにして、磁界を印加することができる。あるいは、組成物に対して、爪に対して磁石７を動かすことによって動的な態様でもって、例示するならば、回転している磁界を使用することにより、レリーフ内に球状という幻想的な模様を形成することができる。
【０１３７】
図１１は、例えばテーブルの上面といったような支持表面上に載置するのに適した少なくとも１つの延長部分７０を、図１のアプリケータ３が備え得るという可能性を、示している。これにより、磁石７を、爪から所定距離のところに保持することができる。この例においては、アプリケータは、２つのタブ７０を備えており、これらタブ７０の間には、爪を受領するのに適したハウジング７１が形成される。
【０１３８】
図４および図５は、コンパクト２０を示している。コンパクト２０は、蓋２１を備えている。蓋２１には、コンパクト内に存在する磁気デバイス２３を使用することによって形成し得るパターンを表す情報アイテム２２が表示されている。例示するならば、情報２２は、印刷によって得られる。あるいは、情報２２は、ニス内に形成されたパターンとされる。あるいは、情報２２は、上述した方法によって、コンパクトをなす熱可塑性材料内に形成されたパターンとされる。
【０１３９】
例示するならば、コンパクト２０は、磁性体を含有しているニスを使ったニス塗りのものとされ、ニスの乾燥前に、ニスに対して、磁気デバイス２３によって生成されるものと同種類の磁界が印加される。
【０１４０】
コンパクト２０は、皮膚や髪や爪や粘膜に対して塗布するための少なくとも１つの組成物に対して作用することによって様々なパターンを形成し得るような複数の磁気デバイス２３を備えることができる。
【０１４１】
図６〜図８は、磁性体を含有している組成物からなる成膜体に対して磁界を印加することによって、爪上にパターンを形成するためのデバイス３０を示している。
【０１４２】
デバイス３０は、支持体３１と、永久磁石３２と、を備えている。永久磁石３２は、例えば、支持体３１に対して固定されている。しかしながら、図示していない変形例においては、永久磁石３２は、支持体３１に対して移動可能であるようにして、取り付けることができる。例えば、支持体３１に対して回転駆動され得るようにして、取り付けることができる。
【０１４３】
例示するならば、支持体３１は、熱可塑性材料の成型によって形成される。支持体３１は、図７に示すように、爪の先端部に係合し得る第１当接部３３を備えている。
【０１４４】
第１当接部３３は、爪の下面に対しての係合表面として機能し得るリム３４を有している。よって、爪は、図７に示すように、支持体３１に対して水平方向においてもまた鉛直方向においても、位置決めされる。
【０１４５】
第１当接部３３とは反対側の端部においては、支持体３１は、指の上面に対して係合し得る第２当接部３６を有している。これにより、永久磁石のうちの、爪に対向した面３８を、爪から所定距離だけ離間したところに保持することができる。所定の離間距離は、例えば、０．５ｍｍ〜１．５ｍｍとすることができる。
【０１４６】
第１当接部３３のリム３４と同様に、第２当接部３６は、図８に示すように指の湾曲度合いに適応し得るよう、例えば、わずかに湾曲した形状のものとされる。
【０１４７】
デバイス３０を使用可能とし得るよう、図９に示すように、使用者は、支持体３１を爪に対して比較的大きな角度としつつ、爪と第１当接部３３とを位置決めする。これにより、爪上に塗布された組成物が、磁界から強い影響を受けないものとする。
【０１４８】
その後、使用者は、第２当接部３６が指と接触するまで、爪が第１当接部３３に対して係合しているポイントに実質的に対応するヒンジ軸回りに支持体を爪に対して回転させることができる。
【０１４９】
使用者は、組成物の乾燥に必要な時間にわたって、支持体３１を図７の位置に維持することができる。
【０１５０】
組成物の乾燥後には、磁性体は、磁石によって付与された配向性でもって、固定的に保持される。
【０１５１】
図１３は、高さを調節し得るようにして指に対して係合し得る第２当接部３６の実施形態を示している。当接部３６は、この例においては、支持体３１に対して螺着されたネジとされている。
【０１５２】
図１０は、収容塗布アセンブリ４０を示している。収容塗布アセンブリ４０は、フラスコ４２と、アプリケータ４３と、磁気デバイス４４と、を備えている。
【０１５３】
フラスコ４２は、磁性体を含有している化粧用の組成物を収容している。
【０１５４】
アプリケータ４３は、従来と同様のものとすることができる。例えば、アプリケータ４３は、例えばブラシといったようなアプリケータ部材６０を備えている。アプリケータ部材６０は、ハンドル部材４６に対して連結されたステム４５の端部に取り付けられている。ハンドル部材４６は、また、フラスコ４２を閉塞するための部材をも構成する。磁気デバイス４４は、開口４８を有した支持体４７を備えている。開口４８は、支持体４７を、フラスコ４２のネック４９上に係合させることを可能とする。支持体４７は、側方延長部分５０を有している。側方延長部分５０は、ネックが開口４８内に係合して閉塞部材４３によって支持体４７がフラスコ４２に対して保持された際には、フラスコ４２の側部に配置されるとともに、フラスコ４２の厚さ方向に延在する。
【０１５５】
支持体の側方延長部分５０は、例えば、上記実施形態における第１当接部３３と同様の第１当接部５１を有している。第１当接部５１は、爪に対して支持体４７を位置決めし得るとともに、永久磁石５２を第１当接部５１に対して位置決めすることができる。これにより、永久磁石５２を、磁界の印加対象をなす組成物に対してわずかな離間距離に保持することができる。
【０１５６】
使用時には、支持体４７は、フラスコ４２上の所定位置に保持することができる。支持体４７の外面によって形成された第２当接部５４に対して指が接触するまで、爪を、支持体４７に対して回転させることができる。
【０１５７】
図１２は、磁気デバイスを示している。この場合、磁石７５は、高さ調節可能なものとして、支持体７６上に取り付けられている。例示するならば、磁石７５は、爪に対する離間距離を変更可能とし得るよう、ネジ７７に対して固定されている。よって、使用者は、離間距離を調節することができる。例えば、指の厚さに応じて、あるいは、爪上に塗布される組成物の性質に応じて、離間距離を調節することができる。図１２の例においては、２つのタブ７９が設けられており、これにより、指のためのハウジング８０を形成することができる。
【０１５８】
すべての場合において、磁石は、一体部材をなす磁石とすることができる、あるいは、図１４に示すように、マトリクス状でもって分散配置された例えばフェライト粒子といったような磁性粒子８１とすることができる。
【０１５９】
例示するならば、磁性粒子は、支持体をなす材料の中に組み込まれ、支持体材料を可変的なものとしつつも、磁性粒子は、磁界の作用によって配向可能なものとされる。これにより、各粒子の個々の磁界の効果を累積化することができる。
【０１６０】
例示するならば、支持体材料は、熱可塑性材料とされ、磁性粒子は、熱可塑性材料の硬化前に成型時点で配向させることができる。
【０１６１】
図１５は、変形例を示している。この変形例においては、磁気デバイスは、例えば熱可塑性材料またはアルミニウムからなるものといったような非磁性支持体８５を備えている。非磁性支持体８５には、指の端部を受領するためのハウジング８６が形成されている。
【０１６２】
磁石８７は、支持体のハウジング８８内に設置される。これにより、爪上に塗布した磁性組成物に対して磁界を印加することができる。
【０１６３】
例示するならば、支持体の外形形状は、全体的に、矩形ブロックという形状とすることができる。
【０１６４】
図１６で示される収容塗布デバイスは、図１０の例における支持体４７の場合と同様に、フラスコ２のネックに対して固定され得るよう構成された支持体９０を備えている。
【０１６５】
図１６においては、フラスコ２が、多角形横断面のものとされたようなとりわけ正方形横断面や矩形横断面のものとされたようなボディとされていること、および、ボディの各主面が、実質的に平面であることがわかる。
【０１６６】
支持体９０は、１つの主面に対して係合する前方起立部１０５を備えている。前方起立部１０５は、頂部には、フラスコ２のネックが通過する開口を有した頂壁１０６を有している。
【０１６７】
支持体９０は、永久磁石９２を受領するためのハウジングを備えている。ハウジング、全体的に、矩形の平行六面体形状のものとされ、鉛直方向をなす複数の側面を有している。
【０１６８】
支持体９０のハウジングは、両サイドに位置したスプライン１０７，１０８を備えている。各スプラインには、内向きのリムが設けられている。
【０１６９】
スプライン１０７，１０８は、スライド通路を構成し得るものとすることができる。これにより、磁石９２を、スライド移動によってハウジング内へと係合させることができる。例えば、支持体の下側からのかつ背面側からのスライド移動によって、ハウジング内へと係合させることができる。
【０１７０】
支持体９０は、下端のところに、磁石の下方において、磁石９２に対して爪を位置決めするための第１当接部をなす突起９６を有している。
【０１７１】
図示のように、突起９６は、爪の底面に対する係合に適しているように上向きのものとされたリム９１を有することができる。リム９１は、例えば、ハウジングに向けられておりかつ凸状に湾曲した表面１１０を有している。
【０１７２】
突起９６の頂面１１１は、上向きのかつ凹状のセットバックを有することができる。これにより、爪のエッジがなす大部分の形状に適合することができる。
【０１７３】
磁石９２は、様々な方法によって支持体上に固定することができる。例えば、支持体の適切な凹凸部分に対してのスナップ係合により、および／または、接着剤により、固定することができる。
【０１７４】
図１６の例においては、アプリケータ３を取り外した後には、支持体９０を、フラスコ２から容易に取り外すことができる。
【０１７５】
底部エッジ１１２は、フラスコ２の底面に対して面一となるように配置することができる。あるいは、少しだけ高い位置に位置するように配置することができる。
【０１７６】
図１７の例における支持体９０は、図１６の例における支持体と比較して、リム１１５をさらに備えている点において、相違している。リム１１５は、頂壁から下向きに延出されているとともに、フラスコ２のうちの、前方起立部１０５が係合している面とは反対側に位置した主面に対して、係合している。これにより、フラスコ２に対する回転に関し、支持体９０を、より安定的に保持することができる。
【０１７７】
この例における後方リム１１５は、フラスコ２の主面の高さと比較して、１０分の１から３分の１という高さを有している。しかしながら、図示していない変形例においては、リム１１５は、例えば、フラスコ２の底部にまで延出することができる。
【０１７８】
図１９の例においては、支持体９０は、２つのサイドフランジ１２０，１２１を有している。各サイドフランジは、前面壁１０５に対して連結されたものであり、フラスコ２がなすボディの実質的に高さ全体にわたって延在している。
【０１７９】
例示するならば、磁石９２は、図１６の例の場合と同様にして、支持体上に保持されている。例えば、突起９６は、同じ形状とされている。
【０１８０】
図１８に示す支持体９０は、全体的に、フラスコ２に対してスナップ固定によって保持されるようなクリップという形状とされている。変形例においては、支持体は、例えばフラスコ２の形成材質に応じて、接着剤によってあるいは他の手法によって、保持することができる。
【０１８１】
図１８の変形例は、図１６の例と比較して、前方起立部１０５が、フラスコ２の下方を通過する底壁１２２によって、底面側において延長されている点において、相違している。底壁１２２は、デバイスのスタンドを構成する。
【０１８２】
突起９６は、図示された特定の形状に制限されるものではない。例示するならば、突起９６は、図２０に示すように、外向きに凸状とされたなおかつ丸められた前方エッジ１２５を有することができる。
【０１８３】
例示するならば、磁石９２は、支持体９０に対して、前方側からかつ上方から挿入することによって、例えばスプライン１０７，１０８の間にクランプ保持されることによって、固定される。図２１の例においては、磁石９２は、例えば、単にスプライン１０７，１０８を介して前方起立部１０５に対して取り付けられる。この場合、スプライン１０７，１０８は、所定位置への取付前に位置決めを容易に行い得るように、機能する。
【０１８４】
支持体９０は、接着剤による固定をより容易なものとし得る１つまたは複数の凹凸部分を有することができる。このような部分は、接着剤に対するトラップを構成する。
【０１８５】
図２２の例においては、突起の前方エッジは、前方向きにおいて凹形状とされたセットバックを有している。このような前方エッジは、指または爪を位置決めするために使用することができる。
【０１８６】
磁石９２は、図２１の場合と同様に、接着剤を使用して支持体に対して取り付けることができる。しかしながら、変形例においては、磁石９２は、他の様々な方法で取り付けることができる。例えば、スナップ取付によって、または、スナップ取付と接着剤との併用によって、取り付けることができる。
【０１８７】
図２３〜図２９の例においては、磁石９２は、支持体に対して配向性を有している。すなわち、磁石９２は、先端１３０を下向きとして、菱形の態様とされている。
【０１８８】
図２３の例においては、磁石９２は、スプライン１０８，１０７の上端上に係止された２つの側辺を有している。磁石９２は、支持体９０に対して固定されている。
【０１８９】
図２２の例においては、突起９６は、指または爪を位置決めするのに適したものであるよう、前方向きに凹形状のセットバック９３を有している。
【０１９０】
例えば、使用者は、セットバック９３内において、半月部分に隣接した小皮を位置決めすることができる。これにより、磁石によって生成された磁力線の勾配に基づく爪に沿った陰影効果によって、『フレンチマニキュア（あるいは、フレンチネイル）』タイプのメークアップ効果を得ることができる。
【０１９１】
一般的に言って、図３５に示すように、爪の中央平面に沿って変化する幅を有した磁石の一部によって生成された磁界を爪に対して印加することが、有効であることを証明することができる。磁石は、爪に対して少なくとも部分的に重ね合わせることも、あるいは、そうしないことも、できる。磁石は、例えば、くさび形状部分を有することができる。その場合、磁石の側面は、半月部分に向けてテーパー形状を有している。磁石の頂部表面は、例えば、爪の中央平面に対して実質的に垂直に延在する。
【０１９２】
図２４の変形例においては、磁石９２は、さらに、上向きの先端を有しており、支持体９０は、指または爪の位置決めに適しているよう、前方起立部１０５の頂部にセットバック１４０を有している。
【０１９３】
有利には、磁石９２は、支持体９０の頂部に配置することができる。その理由は、図２３の例と比較して、爪または指を支持体上において位置決めするに際して、フラスコを持ち上げる必要がないからである。
【０１９４】
磁石９２は、前方起立部１０５の余分な厚さ部分によって規定されたハウジング内に固定することができる。この場合、磁石９２は、例えば、頂部側面１４１，１４２が、前方起立部１０５の段部に対して当接する。
【０１９５】
図２５〜図２８の例は、前方起立部１０５の外観という点において、図２４の例に対して相違している。
【０１９６】
図２６の例においては、わずかに凹形状とされた領域１５０が、２つのより厚いサイドストリップ１５１の間に形成されている。これにより、使用者は、爪を置く場所をより容易に見出すことができる。
【０１９７】
図２７の例においては、ストリップ１５１は、磁石９２の側面１４１，１４２に対して連接された傾斜端部を有している。
【０１９８】
図２８の例においては、ストリップ１５１は、支持体９０の実質的に高さ全体にわたって延在している。
【０１９９】
図２９の例においては、前方起立部１０５は、頂部に中央スプライン１６０を有しており、磁石９２は、スプライン１６０の下端に形成されたフォークに対して押圧される側面１４１，１４２を有している。スプライン１６０の頂部は、セットバック９５を有している。セットバック９５は、前方に向けてわずかに凹形状のものとされ、爪を位置決めし得るよう機能する。
【０２００】
支持体が全体的にクリップ形状とされたすべての例においては、側方フランジ１２０，１２１の一方または双方は、互いに対向した両端部に、リムを有することができる。これにより、支持体９０をフラスコ上に保持することができる。
【０２０１】
図３１〜図３４に示される支持体は、そのようなリムを、前方起立部に対して平行とされたリム９８という態様でもって、有している。図示していない変形例においては、リム自体を、面取りスプラインという態様のものとすることができる。
【０２０２】
図３２に示すように、フランジは、例えばリップ９９といったような少なくとも１つの凹凸部分を有することができる。この部分により、支持体をフラスコ２の長手方向軸線に沿ってスライド移動させる最終段階において、支持体をフラスコ２上にクリップ止めすることができる。
【０２０３】
存在する場合には、突起９６は、図３１に示すように、前方起立部１０５の幅全体にわたって延在することができる。この図において、スプライン１０７，１０８の前端に形成されたリム１６５を見ることができる。リム１６５は、この図には図示されていないものの、磁石９２を保持することができる。さらに、例えばリップといったような、スプラインの前面に形成された凹凸部分を、見ることができる。これにより、例えば、摩擦によって、支持体の対応ハウジング９７内に、磁石を保持することができる。
【０２０４】
これに代えて、あるいは、これに加えて、スプラインは、中空部分を有することができる。これにより、接着剤のためのトラップを形成することができる。
【０２０５】
図３１の例においては、磁石は、例えば前面側からかつ上方から挿入されることによって、スプライン１０７，１０８によって形成されたハウジング９７内に保持される。
【０２０６】
図３２の例においては、ハウジング９７が、支持体の底面において開口していること、および、磁石を、対応する開口１８２を通して挿入し得ること、を見ることができる。
【０２０７】
図３３の例においては、突起９６は、実質的にフラットなものとされかつ前方起立部１０５に対して平行なものとされた前方エッジを有している。
【０２０８】
図３４の例においては、突起９６は、スプライン１０７，１０８の間の距離よりも、狭いものとされている。支持体の頂部エッジは、面取りすることができる。例えば、前方起立部１０５の内表面のそばにおいて、あるいは、フランジ１２０，１２１の頂部コーナー部分において、面取りすることができる。これにより、所定位置へとより容易にフラスコを配置することができ、また、外観性を改良することができ、さらに、支持体のインパクトをより小さなものとすることができる。
【０２０９】
当然のことながら、図示された様々な実施形態の詳細は、互いに組み合わせることができる。例えば、図示されていない変形例においては、支持体をフラスコに対して取り付けるためのある１つの手段と、磁石を支持体に対して取り付けるための任意の手段と、を組み合わせることができる。また、支持体をフラスコに対して取り付けるためのある１つの手段と、磁石に対して爪を位置決めする（あるいは、配置する、あるいは、置く）ための任意の手段と、を組み合わせることができる。
【０２１０】
図１６〜図３４のいずれの例においても、支持体９０は、形成可能なモチーフを表す情報アイテムを備えることができる。例えば、組成物を使用して形成されたパターンという態様でもって、あるいは、支持体上に付設されたラベル上に複写されたパターンという態様でもって、あるいは、支持体上に印刷されたパターンという態様でもって、そのような情報アイテムを備えることができる。
【０２１１】
支持体９０は、他のいくつかの形状を有することができる。例えば、円筒形状や円錐台形状といったようなボディを有したフラスコ２に対して適応した形状を有することができる。
【０２１２】
必要に応じて、支持体９０は、ヒンジと可動部分とを備えたものとして形成することができる。可動部分は、フラスコ上において支持体を所定位置に支持し得る位置と、フラスコを支持体に対して保持するための位置と、の間にわたって回転することができる。
【０２１３】
支持体は、複数の磁石を備えることができる。例えば、それぞれが互いに異なる磁気特性を有した複数の磁石を備えることができる。これにより、様々なパターンを形成することができる。
【０２１４】
必要に応じて、支持体は、調節可能な部分を備えたものとして形成することができる。調節可能な部分により、様々なサイズのフラスコに対して支持体を取り付けることができる、および／または、様々なサイズの指または爪に対して係合することができる、および／または、様々なタイプのパターンを形成することができる。
【０２１５】
図１６〜図２９に示される変形例においては、デバイスは、アプリケータ３を備えている。アプリケータ３は、一端に例えばブラシといったようなアプリケータ部材を有したステムと、他端に設けられたハンドル部材と、を備えている。ハンドル部材は、また、フラスコ２を閉塞するためのキャップを構成する。
【０２１６】
図示していない変形例においては、フラスコは、アプリケータ３を備えておらず、組成物は、フラスコ内に挿入されたブラシ以外の手段によって適用される。例えば、フラスコのディスペンサーオリフィスを直接的に使用することができる。
【０２１７】
本発明は、上記実施形態に制限されるものではない。
【０２１８】
例示するならば、永久磁石の形状を変更することができ、永久磁石には、永久磁石を軸線回りに回転させ得るような駆動を設けることができる。これにより、例えば、球形状といったような外観を有したパターンを形成することができる。
【０２１９】
永久磁石は、少なくとも１つの電磁石によって代替することができる。
【０２２０】
『１つのものを備えている』という用語が、特に断らない限り、『少なくとも１つのものを備えている』という用語と同義であることは、理解されるであろう。また。『フラスコ』と『容器』とは、同義である。
【図面の簡単な説明】
【０２２１】
【図１】本発明の一実施形態をなす収容塗布アセンブリを示す図である。
【図２】爪に対して塗布している様子を示す図である。
【図３】磁界を印加している様子を示す図である。
【図４】本発明の他の見地におけるコンパクトを示す図である。
【図５】図４のコンパクトに関し、蓋を開けた際の様子を示す図である。
【図６】爪上にパターンを形成し得る磁気デバイスを示す底面図である。
【図７】図６のVII−VII線に沿った長手方向断面図である。
【図８】図６のVIII方向から見た側面図である。
【図９】図７と同様の図であって、磁気デバイスを接近させる前の様子を示している。
【図１０】本発明の他の見地に基づいて構成された収容塗布アセンブリを概略的に示す斜視図である。
【図１１】変形例の一部を概略的に示す図である。
【図１２】本発明の変形例をなす実施形態に基づく磁気デバイスを示す断面図である。
【図１３】図７と同様の図であって、変形例を示している。
【図１４】図７と同様の図であって、他の変形例を示している。
【図１５】他の変形例における磁気デバイスを示す断面図である。
【図１６】本発明の様々な実施形態をなす収容塗布アセンブリに関する様々な例を示す斜視図である。
【図１７】本発明の様々な実施形態をなす収容塗布アセンブリに関する様々な例を示す斜視図である。
【図１８】本発明の様々な実施形態をなす収容塗布アセンブリに関する様々な例を示す斜視図である。
【図１９】本発明の様々な実施形態をなす収容塗布アセンブリに関する様々な例を示す斜視図である。
【図２０】本発明の様々な実施形態をなす収容塗布アセンブリに関する様々な例を示す斜視図である。
【図２１】本発明の様々な実施形態をなす収容塗布アセンブリに関する様々な例を示す斜視図である。
【図２２】本発明の様々な実施形態をなす収容塗布アセンブリに関する様々な例を示す斜視図である。
【図２３】本発明の様々な実施形態をなす収容塗布アセンブリに関する様々な例を示す斜視図である。
【図２４】本発明の様々な実施形態をなす収容塗布アセンブリに関する様々な例を示す斜視図である。
【図２５】本発明の様々な実施形態をなす収容塗布アセンブリに関する様々な例を示す斜視図である。
【図２６】本発明の様々な実施形態をなす収容塗布アセンブリに関する様々な例を示す斜視図である。
【図２７】本発明の様々な実施形態をなす収容塗布アセンブリに関する様々な例を示す斜視図である。
【図２８】本発明の様々な実施形態をなす収容塗布アセンブリに関する様々な例を示す斜視図である。
【図２９】本発明の様々な実施形態をなす収容塗布アセンブリに関する様々な例を示す斜視図である。
【図３０】本発明の様々な実施形態をなす収容塗布アセンブリに関する様々な例を示す斜視図である。
【図３１】本発明に基づいて構成された様々な支持体体を、個別的に示す斜視図である。
【図３２】本発明に基づいて構成された様々な支持体体を、個別的に示す斜視図である。
【図３３】本発明に基づいて構成された様々な支持体体を、個別的に示す斜視図である。
【図３４】本発明に基づいて構成された様々な支持体体を、個別的に示す斜視図である。
【図３５】爪と磁石とを概略的に示す平面図である。
【符号の説明】
【０２２２】
１  収容塗布アセンブリ（収容適用アセンブリ）
２  フラスコ、容器
１１  情報アイテム
３１  支持体
３２  永久磁石
３３  第１当接部
３４  リム
３６  第２当接部
【図１】
2007061621.tif 000004
【図２】
2007061621.tif 000005
【図３】
2007061621.tif 000006
【図４】
2007061621.tif 000007
【図５】
2007061621.tif 000008
【図６】
2007061621.tif 000009
【図７】
2007061621.tif 000010
【図８】
2007061621.tif 000011
【図９】
2007061621.tif 000012
【図１０】
2007061621.tif 000013
【図１１】
2007061621.tif 000014
【図１２】
2007061621.tif 000015
【図１３】
2007061621.tif 000016
【図１４】
2007061621.tif 000017
【図１５】
2007061621.tif 000018
【図１６】
2007061621.tif 000019
【図１７】
2007061621.tif 000020
【図１８】
2007061621.tif 000021
【図１９】
2007061621.tif 000022
【図２０】
2007061621.tif 000023
【図２１】
2007061621.tif 000024
【図２２】
2007061621.tif 000025
【図２３】
2007061621.tif 000026
【図２４】
2007061621.tif 000027
【図２５】
2007061621.tif 000028
【図２６】
2007061621.tif 000029
【図２７】
2007061621.tif 000030
【図２８】
2007061621.tif 000031
【図２９】
2007061621.tif 000032
【図３０】
2007061621.tif 000033
【図３１】
2007061621.tif 000034
【図３２】
2007061621.tif 000035
【図３３】
2007061621.tif 000036
【図３４】
2007061621.tif 000037
【図３５】
2007061621.tif 000038
【外国語明細書】
2007061621.tif 000039
2007061621.tif 000040
2007061621.tif 000041
2007061621.tif 000042
2007061621.tif 000043
2007061621.tif 000044
2007061621.tif 000045
2007061621.tif 000046
2007061621.tif 000047
2007061621.tif 000048
2007061621.tif 000049
2007061621.tif 000050
2007061621.tif 000051
2007061621.tif 000052
2007061621.tif 000053
2007061621.tif 000054
2007061621.tif 000055
2007061621.tif 000056
2007061621.tif 000057
2007061621.tif 000058
2007061621.tif 000059
2007061621.tif 000060
2007061621.tif 000061
2007061621.tif 000062
2007061621.tif 000063
2007061621.tif 000064
2007061621.tif 000065
2007061621.tif 000066
2007061621.tif 000067
2007061621.tif 000068
2007061621.tif 000069
2007061621.tif 000070
2007061621.tif 000071
2007061621.tif 000072
2007061621.tif 000073
2007061621.tif 000074
2007061621.tif 000075
2007061621.tif 000076
2007061621.tif 000077
2007061621.tif 000078
2007061621.tif 000079
2007061621.tif 000080
2007061621.tif 000081
2007061621.tif 000082